(57)【特許請求の範囲】
【請求項１】
情報記録媒体に対する情報の再生、記録及び消去の少なくとも一つを行う情報記録媒体駆動装置において、
情報記録媒体を保持し装置筐体に設けた開口部から突出した突出位置と該装置筐体の内部に挿入された挿入位置とを取り得る可動保持部材と、該挿入位置に移動した該可動保持部材を保持するように該装置筐体の内部に設けられたシャーシと、該シャーシの内側に傾斜自在に支持され、該可動保持部材が該突出位置にあるとき該開口部に近い部分が下がって傾斜しているように駆動される可動シャーシとを備え、
該可動保持部材に、該情報記録媒体を駆動する駆動手段を設け、
該可動シャーシに、該情報記録媒体の記録面に光を照射する光ピックアップ装置と、該光ピックアップ装置を該記録面に沿って駆動し、該可動保持部材が該突出位置にあるとき該光ピックアップ装置を該開口部に近い位置に位置させるように該可動シャーシの傾きに沿って駆動する駆動機構とを設けたことを特徴とする情報記録媒体駆動装置。
【請求項２】
請求項１の情報記録媒体駆動装置において、
上記可動保持部材が上記突出位置と上記挿入位置との間を移動するときに、上記可動シャーシの該可動保持部材側の端部が該可動保持部材の移動経路から離れるように該可動シャーシを傾ける駆動手段を設けたことを特徴とする情報記録媒体駆動装置。
【請求項３】
請求項２の情報記録媒体駆動装置において、
上記可動保持部材が上記突出位置と上記挿入位置との間を移動するときに、上記光ピックアップ装置を該可動保持部材の移動経路から離れるように移動させる駆動手段を設けたことを特徴とする情報記録媒体駆動装置。
【発明の詳細な説明】
【０００１】
【発明の属する技術分野】
本発明は、ＣＤ、ＤＶＤ等の情報記録媒体に対する情報の再生、記録及び消去の少なくとも一つを行う情報記録媒体駆動装置に係り、詳しくは、情報記録媒体駆動装置における情報記録媒体の装着／排出機構に関するものである。
【０００２】
【従来の技術】
従来、この種の情報記録媒体駆動装置として、情報記録媒体としてのディスクを装着あるいは排出する際に、トレーをイジェクト方向に摺動させるドロワー型のディスク装置が知られている（例えば、特開平９−２２３３４８号公報参照）。このトレーには、ディスクを回動させるスピンドルモータ、光ピックアップ装置、該光ピックアップ装置をディスク半径方向に移動させる送り機構及びこれらを信号回路的に接続するためのフレキシブル配線基板からなる駆動ユニットが搭載されている。このディスク装置においてディスクを装着あるいは排出する際には、装置本体からトレーが突出し、使用者が直接ディスクを上記駆動ユニットにあるスピンドルモータのターンテーブルへ着脱する。
【０００３】
上記ドロワー型のディスク装置の利点としては、トレーに駆動ユニットを搭載していないトレー型の装置に比べて、ディスクをスピンドルモータ上のターンテーブルへ着脱するためのクランピング機構が不要なこと、ディスク装着／排出時にトレーの摺動動作に合わせて駆動ユニットがトレーから回避するための駆動ユニット回避移動機構とその移動ストローク分のスペースが不要となることが挙げられる。このため、ドロワー型のディスク装置は、特に薄型が望まれるノート型パソコンの内蔵用ディスク装置に採用されている。一方、トレー型のディスク装置は、装着するスロットサイズが固定され薄型化の必要がないディスクトツプ型あるいはタワー型のパソコンの内装用ディスク装置に採用されている。
【０００４】
【発明が解決しようとする課題】
図３は、従来のドロワー型ディスク装置の要部構成を示す斜視図である。シャーシ１８から突出するトレー１２には、スピンドルモータ２６が搭載されているとともに、光ピックアップ装置２３がディスクの半径方向に移動自在に支持されている。ディスクの装着／排出時には、トレー１２がスライドレール３１ａ、３２ａを介してガイド部材３１ｂ、３２ｂに保持されながら摺動し、矢印Ａ，Ｂの方向に移動する。そして、矢印Ａ方向に移動して突出したトレー１２に対して、使用者（ユーザー）が直接スピンドルモータ２６上のターンテーブルにＣＤやＤＶＤ等のディスクを着脱する。このターンテーブル近傍には光ピックアップ装置２３が設置されているために、上記ディスクの着脱作業の際に、使用者が光ピックアップ装置２３の対物レンズ２３ａを手で触れることがある。この場合、次に挙げる不具合が発生するおそれがある。
（１）対物レンズ２３ａの汚れ、指紋付着、傷などによる光スポットの劣化。
（２）対物レンズ２３ａを駆動するアクチュエータの支持部材（板バネ、ワイヤーなど）の変形、破損などによる駆動特性の劣化。
（３）光ピックアップ装置に搭載された各光学部品及びそれらを信号回路的に結んでいるフレキシブル配線基板などの変形、破損。
（４）光ピックアップ装置をディスク半径方向に移動させる送り機構に設けられた軸受けへのゴミ付着、ガイドレールに傷、打痕が生じたことにより起きる光ピックアップ装置の送り特性の劣化。
【０００５】
このように従来のドロワー型のディスク装置では、ディスクの着脱の際に使用者が光ピックアップ装置を直接触ることができてしまうため、ディスク装置の信頼性を著しく低下させてしまうおそれがあった。
【０００６】
また、近年の大容量情報記録媒体（ＤＶＤ）などのディスクでは、対物レンズの高ＮＡ化（０．６０）や短波長光源（６３５ｎｍや６５０ｎｍ）が採用されている。ところが、かかる構成を採用した場合、ディスクの光ピックアップ装置に対する傾斜を小さくしないと、再生・記録・消去特性が劣化してしまう。このために、ディスクのたわみなどにあわせて光ピックアップ装置を傾斜させてディスクに対する傾き量を最小限にする、いわゆるチルト補正機構の搭載が望まれている。
【０００７】
本発明は以上の問題点に鑑みなされたものであり、その目的は、従来のトレー型に比べて装置の薄型化が可能であり、かつ、情報記録媒体の着脱の際に使用者が光ピックアップ装置を直接触ることがないようにすることにより装置の信頼性を高めることができ、しかも情報記録媒体のチルト補正が可能な情報記録媒体駆動装置を提供することである。
【０００８】
【課題を解決するための手段】
上記目的を達成するために、請求項１の発明は、情報記録媒体に対する情報の再生、記録及び消去の少なくとも一つを行う情報記録媒体駆動装置において、情報記録媒体を保持し装置筐体に設けた開口部から突出した突出位置と該装置筐体の内部に挿入された挿入位置とを取り得る可動保持部材と、該挿入位置に移動した該可動保持部材を保持するように該装置筐体の内部に設けられたシャーシと、該シャーシの内側に傾斜自在に支持され、該可動保持部材が該突出位置にあるとき該開口部に近い部分が下がって傾斜しているように駆動される可動シャーシとを備え、該可動保持部材に、該情報記録媒体を駆動する駆動手段を設け、該可動シャーシに、該情報記録媒体の記録面に光を照射する光ピックアップ装置と、該光ピックアップ装置を該記録面に沿って駆動し、該可動保持部材が該突出位置にあるとき該光ピックアップ装置を該開口部に近い位置に位置させるように該可動シャーシの傾きに沿って駆動する駆動機構とを設けたことを特徴とするものである。
【０００９】
この請求項１の情報記録媒体駆動装置では、情報記録媒体の装着又は排出の際に装置筐体から突出した突出位置に移動する可動保持部材に、該情報記録媒体を回転駆動するためのモータが搭載されているので、従来のトレー型の装置に用いられる該情報記録媒体のクランプ機構や駆動ユニットの回避移動機構が不要となり、従来のトレー型の装置に比べて装置の薄型化が可能となる。
また、該可動保持部材を該突出位置に移動したときに、該情報記録媒体の記録面に光を照射する光ピックアップ装置は、可動保持部材と一緒に移動せずにシャーシ内の傾斜自在の可動シャーシに取り付けられたままの状態にあるので、使用者が該光ピックアップ装置を直接触る危険性が少なくなり、装置の信頼性を高めることができる。
更に、情報記録媒体のたわみ等に合わせて上記光ピックアップ装置を設けた可動シャーシを傾けることができるので、光ピックアップ装置の情報記録媒体に対する傾き量を最小限にするチルト補正が可能となる。
【００１０】
請求項２の発明は、請求項１の情報記録媒体駆動装置において、上記可動保持部材が上記突出位置と上記挿入位置との間を移動するときに、上記可動シャーシの該可動保持部材側の端部が該可動保持部材の移動経路から離れるように該可動シャーシを傾ける駆動手段を設けたことを特徴とするものである。
【００１１】
この請求項２の情報記録媒体駆動装置では、上記可動保持部材が上記突出位置と上記挿入位置との間を移動するときに、上記光ピックアップ装置を設けた可動シャーシを駆動手段で傾けることにより、該可動シャーシの該可動保持部材側の端部を該可動保持部材の移動経路から離すので、該可動保持部材とともに移動している情報記録媒体が該光ピックアップ装置に衝突しなくなる。
【００１２】
請求項３の発明は、請求項２の情報記録媒体駆動装置において、上記可動保持部材が上記突出位置と上記挿入位置との間を移動するときに、上記光ピックアップ装置を該可動保持部材の移動経路から離れるように移動させる駆動手段を設けたことを特徴とするものである。
【００１３】
この請求項３の情報記録媒体駆動装置では、上記可動保持部材が上記突出位置と上記挿入位置との間を移動するときに、上記傾斜した可動シャーシに設けられた光ピックアップ装置を駆動手段で該可動保持部材の移動経路から離すように移動させるので、該可動保持部材とともに移動している情報記録媒体が該光ピックアップ装置に衝突するのをより確実に防止することができる。
【００１４】
【発明の実施の形態】
以下、図面を参照しながら、本発明の実施形態について説明する。
図１は本発明の実施形態に係る情報記録媒体駆動装置の概略構成を示す斜視図である。本装置は、円盤状の情報記録媒体であるディスクを保持し装置筐体（不図示）から突出した突出位置と該装置筐体の内部に挿入された挿入位置とを取り得る可動保持部材としての可動保持部材１００と、該挿入位置に移動した可動保持部材１００を保持するように該装置筐体の内部に設けられたシャーシ１０１とを備えている。可動保持部材１００は、ガイド機構により矢印Ａ，Ｂ方向に移動可能に保持されている。このガイド機構は、可動保持部材１００の側端面の一体に設けられたレール係合部１００ａ，１００ｂと、該レール係合部１００ａ，１００ｂに摺動自在に係合するスライドレール１０２ａ、１０２ｂと、シャーシ１０１の側面内壁に固定され該スライドレール１０２ａ、１０２ｂを摺動自在に保持するガイド部材１０３ａ、１０３ｂを用いて構成されている。
【００１５】
可動保持部材１００には、ディスクを回転駆動する駆動手段としてのスピンドルモータ１０４が固定されている。一方、シャーシ１０１には、ディスクの記録面に光を照射する光ピックアップ装置１０５及び該光ピックアップ装置１０５を該記録面に沿って駆動する駆動機構が設けられている。この光ピックアップ装置１０５の駆動機構は、シャフト１０６、リードスクリュー１０７、ＤＣモータ１０８、ＤＣモータ１０８の回転軸先端に設けたギヤ１０９及び中間ギヤ１１０を用いて構成されている。光ピックアップ装置１０５は、シャフト１０６及びリードスクリュー１０７によりディスクの半径方向（矢印Ａ，Ｂ方向）に摺動自在に保持されている。リードスクリュー１０７には、ＤＣモータ１０８とギヤ１０９と中間ギヤ１１０とにより回転駆動力が伝達される。この回転駆動力でリードスクリュー１０７を回転させることにより、光ピックアップ装置１０５は、ディスクの半径方向（矢印Ａ，Ｂ方向）に直線移動するように駆動される。情報の再生・記録・消去は、光ピックアップ装置１０５に設けた対物レンズ１１１によりディスクの記録面の情報記録膜上に光スポットを形成して行われる。
【００１６】
図２（ａ）乃至（ｄ）は、本発明の実施形態に係るディスク装置におけるディスク装着動作の説明図である。
本実施形態のディスク装置において、可動保持部材１００は、シャーシ１０１に設けた開口部１３３から突出することができるように、シャーシ１０１に対して摺動自在に保持されている。可動保持部材１００には、ディスクを回転させるためのスピンドルモータ１０４が固定されている。シャーシ１０１には、回転軸１６１を中心に回動して傾斜することができる傾斜自在の可動シャーシ１６０が保持されている。可動シャーシ１６０には、光ピックアップ装置１０５が設けられており、前述のように、シャフト１０６及びリードスクリュー１０７によりディスクの半径方向に摺動自在に保持されている。情報の再生・記録・消去は、光ピックアップ装置１０５に設けた対物レンズ１１１によりディスクの情報記録膜上に光スポットを形成して行われる。
【００１７】
ここで、ディスク１２０としてＤＶＤなどの大容量記録媒体を用いる場合は、高ＮＡと短波長化とにより光スポットを絞っているために、ディスク１２０と対物レンズ１１１との角度誤差を小さくする必要がある。本実施形態のディスク装置では、可動シャーシ１６０を回動させて傾け、ディスク１２０のたわみによる角度誤差を補正するチルト補正を行うことができる。光ピックアップ装置１０５には、図示しないチルトセンサーが搭載されており、光ピックアップ装置１０５に対するディスクの傾き角度を検出して、可動シャーシを傾斜することにより角度補正（チルト補正）を行う。
【００１８】
上記構成のディスク装置にディスク１２０を装着する場合は、図２（ａ）に示すように可動保持部材１００をシャーシ１０１から突出した突出位置に移動させる。このとき、図示しない駆動手段により可動シャーシ１６０を回転軸１６１を中心に回動させることにより、可動シャーシ１６０を開口部１３３に近い部分が下がるように傾斜させる。更に、第１の実施形態で説明したシャフト１０６、リードスクリュー１０７、ＤＣモータ１０８、ギヤ１０９及び中間ギヤ１１０等からなる駆動手段により、光ピックアップ装置１０５を、開口部１３３に近い位置へ移動させる。
【００１９】
図２（ｂ）は、ディスク１２０をスピンドルモータ１０４のターンテーブル上に装着した状態である。このときも、可動シャーシ１６０を、開口部１３３に近い部分が下がるように傾斜させ、光ピックアップ装置１０５を、開口部１３３に近い位置へ移動させる。このために、ディスク１２０と光ピックアップ装置１０５とは、図中の矢印Ｅ，Ｆで示す高さ方向に最も離れた状態になる。図２（ｃ）は、可動保持部材１００の化粧板１１２を押圧して、可動保持部材１００をシャーシ１０１内の挿入位置に移動した状態である。光ピックアップ装置１０５は可動保持部材１００に設けられた開口部１１３を介して、ディスク１２０に光スポットを形成し、情報の再生・記録・消去を行う。
【００２０】
また、可動保持部材１００を図２（ｂ）の突出状態から図２（ｃ）の挿入状態に移動させる移動過程においては、可動シャーシ１６０を、開口部１３３に近い部分が下がるように傾斜させ、光ピックアップ装置１０５を、開口部１３３に近い位置へ移動させる。これにより、ディスク１２０と光ピックアップ装置１０５とは、図中の矢印Ｅ，Ｆで示す高さ方向に最も離れた状態になるので、図２（ｄ）に示すようにディスク１２０が傾斜してスピンドルモータ１０４のターンテーブルに搭載された場合でも、ディスク１２０と光ピックアップ装置１０５とが当たることはない。また、可動保持部材１００には、可動シャーシ１６０を回避する開口部が設けてある。
ディスク装置からディスク１２０を排出するときは、図２（ｃ）→図２（ｂ）→図２（ａ）のように、上記装着時とは逆の操作手順を行う。
【００２１】
以上、本実施形態によれば、使用者（ユーザー）が可動保持部材１００に搭載されたスピンドルモータ１０４のターンテーブル上にディスク１２０の着脱を行う際に、光ピックアップ装置１０５はシャーシ１０１の中にあるから、光ピックアップ装置１０５の破損や汚染等の危険が少なくなるので、ディスク装置の信頼性が高まる。しかも、光ピックアップ装置１０５を設けた可動シャーシ１６０を傾けることにより、ディスク１２０に対する傾き量を最小限にするチルト補正を行うことができるようになる。
【００２２】
また、ディスク１２０の装着又は排出の際に光ピックアップ装置１０５が設けられた可動シャーシを可動保持部材１００の移動経路から下方に離れるように退避させているので、可動保持部材１００とともに移動するディスク１２０が光ピックアップ装置１５０に衝突することがなくなり、ディスク装置の信頼性を更に高めることができる。
【００２３】
【発明の効果】
請求項１乃至２の発明によれば、従来のトレー型に比べて装置の薄型化が可能となるとともに、情報記録媒体の装着又は排出の際に使用者が該光ピックアップ装置を直接触る危険性が少なくなるので装置の信頼性を高めることができる。しかも、光ピックアップ装置の情報記録媒体に対する傾き量を最小限にするチルト補正が可能となるという効果がある。
【００２４】
特に、請求項２及び３の発明によれば、情報記録媒体の装着又は排出の際に可動保持部材とともに移動している情報記録媒体が光ピックアップ装置に衝突することがないので、装置の信頼性を更に高めることができるという効果がある。
【図面の簡単な説明】
【図１】  本発明の実施形態に係るディスク装置の概略構成を示す斜視図。
【図２】  （ａ）は同ディスク装置の可動保持部材が突出した状態の説明図。
（ｂ）は同ディスク装置の可動保持部材にディスクを載置した状態の説明図。
（ｃ）は同ディスク装置の可動保持部材を挿入した状態の説明図。
（ｄ）は同ディスク装置の可動保持部材にディスクを傾けて載置した状態の説明図。
【図３】  従来例に係るディスク装置の概略構成を示す斜視図。
【符号の説明】
１００  可動保持部材
１００ａ，ｂ  レール係合部
１０１  シャーシ
１０２ａ，ｂ  スライドレール
１０３ａ，ｂ  ガイド部材
１０４  スピンドルモータ
１０５  光ピックアップ装置
１０６  シャフト
１０７  リードスクリュー
１０８  ＤＣモータ
１０９  ギア
１１０  中間ギア
１１１  対物レンズ
１１２  化粧板
１２０  ディスク
１３３  シャーシの開口部
１６０  可動シャーシ
１６１  回転軸
【図１】
0003740285.tif 000002
【図２】
0003740285.tif 000003
【図３】
0003740285.tif 000004